(57)【要約】トラック（９）上を相対移動する光照射によってトラックに沿って記録された複数の情報が並列に再生される光ディスク（１００）は、ディスク基板（１）と、この上に形成されると共に同心円状にトラックが規定されており、トラックに沿って且つトラックを中央にして両側に配列されていると共に前記複数の情報を相互から独立して担持する二つのピット列が構築されている記録層（２）とを備える。二つのピット列は、仮にトラックを中央にして両側に配列されているままでは、二つのピット列の相互関係が、光照射によって読み取られる複数の情報間の識別が不可能となる、予め特定される関係にある特定箇所については、二つのピット列を構成する少なくとも一方のピットが、トラックを基準にしてディスク基板の径方向に所定距離だけシフトされている。これにより、比較的容易にして記録容量を増大させる。
2008126327.tif 000002
【特許請求の範囲】
【請求項１】
トラック上を相対移動する光照射によって前記トラックに沿って記録された複数の情報が並列に再生される光ディスクであって、
ディスク基板と、
該ディスク基板上に形成されると共に螺旋状又は同心円状に前記トラックが規定されており、前記トラックに沿って且つ前記トラックを中央にして両側に配列されていると共に前記複数の情報を相互から独立して担持する二つのピット列が構築されている記録層と
を備え、
前記二つのピット列は、仮に前記トラックを中央にして両側に配列されているままでは、前記二つのピット列の相互関係が、前記光照射によって読み取られる前記複数の情報間の識別が不可能となる、予め特定される関係にある特定箇所については、前記二つのピット列を構成する少なくとも一方のピットが、前記トラックを基準にして前記ディスク基板の径方向に所定距離だけシフトされている
ことを特徴とする光ディスク。
【請求項２】
前記二つのピット列は、前記特定箇所については、前記少なくとも一方のピットは更に、前記トラックに沿って前方にシフトされていることを特徴とする請求の範囲第１項に記載の光ディスク。
【請求項３】
前記二つのピット列は、前記特定箇所については、前記少なくとも一方のピットは、前記トラックに沿って前記少なくとも一方のピットの一つ前に位置する他のピットと接続されていると同時に、前記ディスク基板の径方向にシフトされていることを特徴とする請求の範囲第１項に記載の光ディスク。
【請求項４】
前記二つのピット列は、前記光照射によって生成されるクロック信号が前記二つのピット列間で揃うように、該クロック信号に対応する部分が構成されていることを特徴とする請求の範囲第１項に記載の光ディスク。
【請求項５】
前記二つのピット列は、前記光照射によって生成されるクロック信号が共通となるように構成されていることを特徴とする請求の範囲第１項に記載の光ディスク。
【請求項６】
前記二つのピット列は、前記特定箇所に加えて、前記光照射によって生成されるクロック信号が生成される箇所についても、前記二つのピット列を構成する少なくとも一方のピットが、前記径方向に前記所定距離だけシフトされていることを特徴とする請求の範囲第１項に記載の光ディスク。
【請求項７】
前記二つのピット列は、前記光照射によって生成されるシンク信号が前記二つのピット列間で揃うように、該シンク信号に対応する部分が構成されていることを特徴とする請求の範囲第１項に記載の光ディスク。
【請求項８】
前記二つのピット列は、前記光照射によって生成されるシンク信号が共通となるように構成されていることを特徴とする請求の範囲第１項に記載の光ディスク。
【請求項９】
前記情報を再生する際のエラー訂正における一単位は、第１及び第２部分に二つに分けられており、
前記二つのピット列の一方は、前記第１部分を担持し、
前記二つのピット列の他方は、前記一方のピット列が前記第１部分を担持するピット部分に隣接するピット部分において、前記第２部分を担持する
ことを特徴とする請求の範囲第１項に記載の光ディスク。
【請求項１０】
トラック上を相対移動する光照射によって前記トラックに沿って記録された複数の情報が並列に再生される光ディスクであって、
ディスク基板と、
該ディスク基板上に形成されると共に螺旋状又は同心円状に前記トラックが規定されており、前記トラックに沿って且つ前記トラックを中央にして両側に配列されていると共に前記複数の情報を相互から独立して担持する二つのピット列が構築されている記録層と
を備え、
前記情報を再生する際のエラー訂正における一単位は、第１及び第２部分に二つに分けられており、
前記二つのピット列の一方は、前記第１部分を担持し、
前記二つのピット列の他方は、前記一方のピット列が前記第１部分を担持するピット部分に隣接するピット部分において、前記第２部分を担持する
ことを特徴とする請求の範囲第１項に記載の光ディスク。
【発明の詳細な説明】
【技術分野】
【０００１】
本発明は、例えば情報の再生用、又は情報の記録及び再生用の光ディスクの技術分野に関する。
【背景技術】
【０００２】
この種の光ディスクとしては、ＣＤ（Ｃｏｍｐａｃｔ  Ｄｉｓｃ）、ＤＶＤ、ＢＤ（Ｂｌｕｅｒａｙ  Ｄｉｓｃ）等が伝統的には知られている。例えば、光ディスクの記録容量を高める技術として、特許文献１では、読取用レーザビームが照射される位置を中心に左右にピットを形成し、ピット形状のパターン総数を増やす技術が開示されている。トラックに沿ったピットの長短のみならず、様々な形状を取り得るピットを利用すれば、個々のピットが担持する情報量が増大されるので、全体の記録容量も高められるとされている。【０００３】
【特許文献１】特開平０８−３１５３６８号公報
【発明の開示】
【発明が解決しようとする課題】
【０００４】
しかしながら、上述した背景技術では、ピットを読み取る際にパターン認識を行うので、各ピットを大きく形成する必要がある。即ち、ピットパターンは増えるが、ピット間のスペースは自動的に決まるので、結果として記録密度を高めることが困難となる。敢えて、このパターン認識用のピットの記録密度を高めようとすれば、ピットパターンを増やさざるを得ず、読み取ることが根本的に困難となる。結局、パターン認識を利用して各種形状のピットを読み取る背景技術によれば、記録容量を増大させるのに本質的な限界があるという技術的問題点がある。【０００５】
本発明は、例えば上述した問題点に鑑みなされたものであり、比較的容易にして記録容量を増大させることが可能な光ディスクを提供することを課題とする。
【課題を解決するための手段】
【０００６】
本発明に係る光ディスクは上記課題を解決するために、トラック上を相対移動する光照射によって前記トラックに沿って記録された複数の情報が並列に再生される光ディスクであって、ディスク基板と、該ディスク基板上に形成されると共に螺旋状又は同心円状に前記トラックが規定されており、前記トラックに沿って且つ前記トラックを中央にして両側に配列されていると共に前記複数の情報を相互から独立して担持する二つのピット列が構築されている記録層とを備え、前記二つのピット列は、仮に前記トラックを中央にして両側に配列されているままでは、前記二つのピット列の相互関係が、前記光照射によって読み取られる前記複数の情報間の識別が不可能となる、予め特定される関係にある特定箇所については、前記二つのピット列を構成する少なくとも一方のピットが、前記トラックを基準にして前記ディスク基板の径方向に所定距離だけシフトされている。【０００７】
本発明の光ディスクによれば、その情報再生時には、例えば光ディスクプレーヤ、光ディスクレコーダ、光ディスクドライブ等の再生装置によって、回転する光ディスクに対するレーザ光照射など、光ディスクのトラック上を相対移動する光照射によって、トラックに沿って記録された複数の情報が再生される。この際特に、光ディスクは、次のように構成されているので、トラックに沿って複数の情報が並列に再生される。【０００８】
即ち、光ディスクは、螺旋状又は同心円状に、光照射のトラッキングの対象或いは目標となるトラックが規定されており、記録層には、二つのピット列が、トラックに沿って且つこのトラックを中央にして両側に、典型的には殆ど又は全く隙間を空けずに隣接して配置されている。二つのピット列は、並列に再生される複数の情報を、相互から独立して担持する。二つのピット列は夫々、例えば凸状又は凹状のピットが後に詳述する特定箇所等を除いては、トラックに沿って一列に並んだ形で構成されている。個々のピットは、基本的には、単純に長短により値を示すピットであり、前述した背景技術の如くパターン認識で区別されるような各種パターンであることを要しない。【０００９】
尚、本発明に係る「トラック」は、例えば記録面上に形成されるレーザ光スポットなどの、光照射に係る光或いは光スポットの中心が、記録面上でトラッキング制御により移動する線である。即ち、このトラックは、例えばグルーブトラックやランドトラックなどのように物理的に線形状が形成されている訳ではなく、二つのピット列の中心線として記録面上に幾何学的に規定される或いは定義される性質のものである。尚、後に詳述するクロック信号やシンク信号を生成するためのピットがトラック上に形成されていてもよい。【００１０】
ここで本願発明者の研究によれば、このように二つのピット列を並列に配列すると、相隣接するピットが担持するデータの値によっては、仮に二つのピット列がトラックを中央にして両側に配列されているままでは、二つのピット列の相互関係が、光照射によって読み取られる複数の情報間の識別が不可能となる関係になることが判明している。ここに複数の情報間で識別が不可能とは、ピットの長短に対応する受光信号の変化に基づいて、識別が不可能という意味であり、この場合には、ピットの長短に対応する受光信号の変化としては、ピットの情報を検出できないことになる。言い換えれば、このような相互関係となる「特定箇所」では、仮に二つのピット列がトラックを中央にして両側に配列されているままでは、ピットに担持されている情報が異なる場合にも、ピットの長短に対応する受光信号としては同じなので区別できないことになる。そして、特定箇所は、記録方式が既知であるとの前提下で、二つのピット列の構造とこれらへ光照射して情報を読み取る方式と隣接ピットに記録される両情報の値の対とが決まれば、予め特定されることが判明している。【００１１】
例えば、特定箇所は、固有の光ディスクを固有の再生装置で再生する際には、二つのピット列がトラックを中央にして両側に配列されているままとして、一方のピット列中のピットの値がＡであると同時にこのピットと同一トラック位置にある他方のピット列中のピットの値がＢである箇所として、特定される。或いは、例えば、一方のピット列中のピットの値がＡ１であり且つこれに続くピットの値がＡ２であると同時にこのピットと同一トラック位置にある他方のピット列中のピットの値がＢ１であり且つこれに続くピットの値がＢ２である箇所として、特定される。【００１２】
更に本願発明者の研究によれば、このような特定箇所においては、ピットのトラック方向の配置や形状はそのままであっても、トラックを挟んで隣接するピット間の距離を局所的に大きくして行けば、“或る距離”まで大きくした段階で、これら隣接するピットにより担持される二つの情報間の識別が、ピットの長短に対応する受光信号の変化に基づいて、可能となることが判明している。【００１３】
そこで本発明の光ディスクでは、特定箇所については、二つのピット列を構成する少なくとも一方のピットが、トラックを基準にしてディスク基板の径方向に所定距離だけシフトされている。よって、本発明に係る「所定距離」を、上記“或る距離”又は上記“或る距離”に適当なマージンを加えた距離に設定すれば、この箇所においても、光照射によって読み取られる複数の情報間の識別が可能となる。この「所定距離」は、ピットのスペースや読み取り光の解像度などにも依存するが、いずれにせよ、二つのピット列の構造が決まり且つ光照射による読み取り方法の具体的な仕様が決まれば、前記“或る距離”（即ち、特定箇所において、二つの情報間の識別が、ピットの長短に対応する受光信号の変化に基づいて可能となるまで両ピットを径方向に離間させた場合における両ピット間の距離）として、実験的、経験的、数学的に又はシミュレーションにより、一義的に決められる。これにより、特定箇所についても、隣接するピットが担持する情報間の識別が可能となり、これらの情報を読み取り可能となる。【００１４】
この際、各ピットを読み取る方法は、個々のピットのパターン認識を要することなく、ピットの長短に対応する受光信号の変化に基づいて実行される。この箇所においてもピットの長短に対応する受光信号が相互に異なるものであり且つこの受光信号の相異を検出できる限りにおいて、例えば四分割受光素子に係る各種信号をどのように使うなどの、検出の仕方は任意である。例えば簡単には、ＲＦ信号の変化に基づいて、このような径方向にピットを離間させた箇所における情報の読み取りが可能となる。【００１５】
尚、特定箇所において、一方のピットのみが径方向に他方のピットから離間する側にシフトされてもよいし、両方のピットが径方向に相互から離間する側にシフトされてもよい。【００１６】
以上の結果、光ディスクによれば、光照射が行われるトラックに対して二つのピット列が並列に配列されており、それらの読み取りは夫々、パターン認識を要することなく比較的容易に行える。従って、トラック当りの記録密度を高めることができ、最終的には、比較的容易にして記録容量を増大させることが可能となる。特に、特定箇所についての構造に若干の手を加えれば、それ以外の大部分の箇所では、別々に情報を担持する二列のピットを殆ど又は完全に隙間なく並べることも可能となり、極めて効率的に記録容量を増大させられる。【００１７】
本発明の光ディスクの一態様では、前記二つのピット列は、前記特定箇所については、前記少なくとも一方のピットは更に、前記トラックに沿って前方にシフトされている。【００１８】
この態様によれば、特定箇所については、二つのピット列を構成する少なくとも一方のピットが、トラックに沿って前方に、即ちトラックの周方向にシフトされている。【００１９】
ここで本願発明者の研究によれば、特定箇所においては、ピットの形状はそのままであっても、二つのピット列を構成する少なくとも一方のピットを、トラックに沿って（即ちトラックの周方向に）シフトさせて、そのシフト量を大きくして行けば、“或るシフト量”まで大きくした段階で、これら隣接するピットにより担持される二つの情報間の識別が、ピットの長短に対応する受光信号の変化に基づいて、可能となることが判明している。【００２０】
そこで、特定箇所については、少なくとも一方のピットが径方向にシフトされているのに加えて、少なくとも一方のピットが、トラックに沿って前方にシフトされている。これにより、特定箇所についても、隣接するピットが担持する情報間の識別が可能となり、これらの情報を読み取り可能となる。特に、ピットが径方向とトラック方向にシフトされることで、読み取りが一層容易になると共に、前記所定距離を小さく設定することも可能となる。【００２１】
本発明の光ディスクの他の態様では、前記二つのピット列は、前記特定箇所については、前記少なくとも一方のピットは、前記トラックに沿って前記少なくとも一方のピットの一つ前に位置する他のピットと接続されていると同時に、前記ディスク基板の径方向にシフトされている。【００２２】
この態様によれば、特定箇所における一方のピットについては、ピットをその前に位置する（即ち、同一ピット列に属しており且つ相前後する）他のピットと接続することで、紛らわしいトラック方向の種類を減らすことができ、径方向にシフトすることで減った情報を補っている。これにより、特定箇所における二つのピットにより担持される情報間の識別が可能となる。このように本来はピットが形成されていない領域に当たる相前後するピット間のスペースを利用して、該二つの相前後するピットを接続することで、特定箇所において隣接するピットにより担持される情報を識別可能となる。【００２３】
尚、該二つの相前後すると共に接続されたピットに担持された情報についても、このように接続されていることを前提とすれば、ピットの長短に対応する受光信号の変化に基づいて読み取り可能である。【００２４】
本発明の光ディスクの他の態様では、前記二つのピット列は、前記光照射によって生成されるクロック信号が前記二つのピット列間で揃うように、該クロック信号に対応する部分が構成されている。【００２５】
この態様によれば、二つのピット列におけるクロック信号に対応する部分は、二つのピット列間で揃うように、構成されているので、クロック信号に基づいて、二つのピット列から並列に情報を読み取るタイミングを揃えることが可能となる。【００２６】
本発明の光ディスクの他の態様では、前記二つのピット列は、前記光照射によって生成されるクロック信号が共通となるように構成されている。【００２７】
この態様によれば、二つのピット列は、クロック信号に対応する部分が共通となるので、共通のクロック信号に基づいて、二つのピット列から並列に情報を読み取るタイミングをほぼ完全に一致させることが可能となる。【００２８】
尚、共通のクロック信号に相当する、二つのピット列に共通のピット（即ち、クロック信号ピット）については、その径方向の中心が、トラックに対して一方又は他方のピット列の側に偏ってもよいし、トラック上にのっていてもよい。【００２９】
本発明の光ディスクの他の態様では、前記二つのピット列は、前記特定箇所に加えて、前記光照射によって生成されるクロック信号が生成される箇所についても、前記二つのピット列を構成する少なくとも一方のピットが、前記径方向に前記所定距離だけシフトされている。【００３０】
この態様によれば、二つのピット列における、クロック信号が生成される箇所についても、少なくとも一方のピットが、径方向に前記所定距離だけシフトされている。このため、ピット列毎に、相互から独立した形で、クロック信号を確実に読み取れる。【００３１】
本発明の光ディスクの他の態様では、前記二つのピット列は、前記光照射によって生成されるシンク信号が前記二つのピット列間で揃うように、該シンク信号に対応する部分が構成されている。【００３２】
この態様によれば、二つのピット列におけるシンク信号（即ち、同期用の信号）に対応する部分は、二つのピット列間で揃うように、構成されているので、シンク信号に基づいて、二つのピット列から並列に情報を読み取るタイミングを同期させることが可能となる。【００３３】
本発明の光ディスクの他の態様では、前記二つのピット列は、前記光照射によって生成されるシンク信号が共通となるように構成されている。【００３４】
この態様によれば、二つのピット列は、シンク信号に対応する部分が共通となるので、共通のシンク信号に基づいて、二つのピット列から並列に情報を読み取るタイミングをほぼ完全に同期させることが可能となる。【００３５】
尚、共通のシンク信号に相当する、二つのピット列に共通のピット（即ち、シンク信号ピット）については、その径方向の中心が、トラックに対して一方又は他方のピット列の側に偏ってもよいし、トラック上にのっていてもよい。【００３６】
本発明の光ディスクの他の態様では、前記情報を再生する際のエラー訂正における一単位は、第１及び第２部分に二つに分けられており、前記二つのピット列の一方は、前記第１部分を担持し、前記二つのピット列の他方は、前記一方のピット列が前記第１部分を担持するピット部分に隣接するピット部分において、前記第２部分を担持する。【００３７】
この態様によれば、典型的には、ＥＣＣ（Ｅｒｒｏｒ  Ｃｏｒｒｅｃｔｉｏｎ  Ｃｏｄｅ）ブロックの一つ又は一対に相当する６４ＫＢ（キロバイト）又は１２８ＫＢのサイズの、エラー訂正における情報の一単位は、例えばその前半である第１部分とその後半である第２部分とに分けられる。この第１部分（例えば前半６４ＫＢ）が、一方のピット列により担持され、この第２部分（例えば後半６４ＫＢ）が、他方のピット列により担持される。その後、当該光ディスクが再生される際には、並列に読み取られるピット列毎に、並列にエラー訂正が行われることになるので、エラー耐性が飛躍的に向上する。【００３８】
本発明に係る他の光ディスクは上記課題を解決するために、トラック上を相対移動する光照射によって前記トラックに沿って記録された複数の情報が並列に再生される光ディスクであって、ディスク基板と、該ディスク基板上に形成されると共に螺旋状又は同心円状に前記トラックが規定されており、前記トラックに沿って且つ前記トラックを中央にして両側に配列されていると共に前記複数の情報を相互から独立して担持する二つのピット列が構築されている記録層とを備え、前記情報を再生する際のエラー訂正における一単位は、第１及び第２部分に二つに分けられており、前記二つのピット列の一方は、前記第１部分を担持し、前記二つのピット列の他方は、前記一方のピット列が前記第１部分を担持するピット部分に隣接するピット部分において、前記第２部分を担持する。【００３９】
本発明の他の光ディスクによれば、その情報再生時には、再生装置によって、光ディスクのトラック上を相対移動する光照射によって、トラックに沿って記録された複数の情報が再生される。この際、光ディスクは、螺旋状又は同心円状に、光照射のトラッキングの対象或いは目標となるトラックが規定されており、記録層には、二つのピット列が、トラックに沿って且つこのトラックを中央にして両側に、典型的には殆ど又は全く隙間を空けずに隣接して配置されている。二つのピット列は、並列に再生される複数の情報を、相互から独立して担持する。よって、光ディスクは、トラックに沿って複数の情報が並列に再生される。【００４０】
ここで本発明では特に、典型的には、ＥＣＣブロックの一つ又は一対に相当する６４ＫＢ又は１２８ＫＢのサイズの、エラー訂正における情報の一単位は、例えばその前半である第１部分とその後半である第２部分とに分けられる。この第１部分が、一方のピット列により担持され、この第２部分が、他方のピット列により担持される。従って、当該光ディスクが再生される際には、並列に読み取られるピット列毎に、並列にエラー訂正が行われることになるので、エラー耐性が飛躍的に向上する。【００４１】
尚、ＥＣＣブロックの組み方としては、ピット列毎に６４ＫＢの情報の固まりに対して一種類のＥＣＣを生成して、ピット列毎に記録する形式としてもよいし、二つのピット列分の１２８ＫＢの情報の固まりに対して二種類のＥＣＣを生成して、二つのピット列に対して記録する形式としてもよい。【００４２】
以上の結果、本発明の他の光ディスクによれば、光照射が行われるトラックに対して二つのピット列が並列に配列されており、それらの読み取りは夫々、高いエラー訂正能力の下で、比較的容易に行える。従って、トラック当りの記録密度を高めることができ、最終的には、比較的容易にして記録容量を増大させることが可能となる。特に、エラー訂正における単位を分ければ、別々に情報を担持する二列のピットを殆ど又は完全に隙間なく並べることも可能となり、極めて効率的に記録容量を増大させられる。【００４３】
尚、本発明の他の光ディスクにおいても、上述した本発明の光ディスクにおける各種態様と同様の各種態様を、適宜採ることが可能である。【００４４】
本発明の作用及び他の利得は次に説明する実施するための最良の形態から明らかにされる。【００４５】
以上詳細に説明したように、本発明の光ディスクによれば、特定箇所についてはピットが径方向に所定距離だけシフトされているので、他方、本発明の他の光ディスクによれば、エラー訂正における一単位が分けられて二つのピット列により並列に担持されているので、比較的容易にして記録容量を増大させることが可能となる。
【図面の簡単な説明】
【００４６】
【図１】第１実施形態に係る光ディスクを情報再生する情報再生装置の構成要素を概略的に示す機能ブロック図である。
【図２】第１実施形態に係る光ディスクを構築するピット列の配置及びその読み取り周波数を示す概略図である。
【図３】第１実施形態に係る光ディスクを構築するピットのシフト位置を示す概略図である。
【図４】第１実施形態に係る光ディスクを構築するピットの他のシフト配置を示す概略図である。
【図５】第１実施形態に係る光ディスクを構築するピットの他のシフト配置を示す概略図である。
【図６】第１実施形態に係る光ディスクのデータ構成を示す概略図である。
【図７】第１実施形態に係る情報再生処理を示すフローチャートである。
【符号の説明】
【００４７】
１…ディスク基板
２…記録層
３…ＣＰＵ
４…光ピックアップ
４ｄ…四分割フォトディテクタ
５…トラッキングサーボ処理部
６…フォーカスサーボ処理部
７…四分割信号処理部
１００…光ディスク
２００…光ディスクプレーヤ
【発明を実施するための最良の形態】
【００４８】
以下、本発明の実施形態について図を参照しつつ説明する。
＜第１実施形態＞
先ず、第１実施形態に係る光ディスクを再生する、光ディスクプレーヤの構成について、図１を参照して説明する。ここに図１は、第１実施形態に係る光ディスクを再生する光ディスクプレーヤの機能ブロック図である。【００４９】
図１に示すように、光ディスクプレーヤ２００は、再生装置の一例として、回転する光ディスク１００に対して、該光ディスク１００のトラック９上を相対移動しながらレーザ光を照射することで、トラック９に沿って記録されている複数の情報を再生する。光ディスクプレーヤ２００は、光ディスク１００の情報再生を行うために、主に、ＣＰＵ３と、光ピックアップ４と、トラッキングサーボ処理部５と、フォーカスサーボ処理部６と、四分割信号処理部７とを備えている。【００５０】
光ピックアップ４は、光ディスク１００に記録されている情報の読み取りを行う光学系である。光ピックアップ４は、光ディスク１００に対して、読み取り用のレーザ光を照射し、光ディスク１００の集光位置において反射したレーザ光を、不図示のビームスプリッタ等を介して四分割フォトディテクタ４ｄにより、受光する。光ピックアップ４は、この受光されるレーザ光に基づく信号を、トラッキングサーボ処理部４、フォーカスサーボ処理部５及び四分割信号処理部７に出力する。光ピックアップ４は、トラッキングサーボ処理部５及びフォーカスサーボ処理部６により、フィードバック制御される。これにより、光ディスク１００の情報が高精度に読み取られる。【００５１】
トラッキングサーボ処理部５は、四分割フォトディテクタ４ｄによって出力される信号からトラッキングエラー信号を生成し、ＣＰＵ３による制御下で、このトラッキングエラー信号に基づいて、光ピックアップ４のトラッキング位置を調整するためのフィードバック制御を行う。本実施形態では特に、後に詳述するように、隙間なく並列に配置された二列のピット列の中心線を、トラッキング制御の対象となるトラック９として、トラッキング制御が行われる。【００５２】
フォーカスサーボ処理部６は、四分割フォトディテクタ４ｄによって出力される信号からフォーカスエラー信号を生成し、ＣＰＵ３による制御下で、このフォーカスエラー信号に基づいて、光ピックアップ４のフォーカス位置を調整するためのフィードバック制御を行う。本実施形態では特に、後に詳述するように、隙間なく並列に配置された二列のピット列の両者に対して、フォーカスが合うように、フォーカス制御が行われる。【００５３】
四分割信号処理部７は、四分割フォトディテクタ４ｄによって出力される信号からＲＦ信号を生成し、ＣＰＵ３に出力する。【００５４】
ＣＰＵ３は、光ディスクプレーヤ２００の各部を制御する。更に、ＣＰＵ３は、四分割信号処理部７によって生成されるＲＦ信号から、又はこれに加えてトラッキングサーボ処理部５によって生成されるトラッキングエラー信号、フォーカスサーボ処理部６によって生成されるフォーカスエラー信号などの、四分割フォトディテクタ４ｄの四つの信号の論理出力から、２つのピット列に対応する二系列の情報を並行して再生する。ここに「四分割フォトディテクタ４ｄの四つの信号の論理出力」とは、トラック方向を基準に前後に並ぶ二つのフォトディテクタからの信号の和同士の差、トラック方向を基準に左右に並ぶ二つのフォトディテクタからの信号の和同士の差、トラック方向を基準に斜めに並ぶ二つのフォトディテクタからの信号の和同士の差など、予め決められた論理和や論理関などを意味し、トラッキングエラー信号及びフォーカスエラー信号に限られない。【００５５】
情報再生の対象となる光ディスク１００は、ディスク基板１と、記録層２とから構成されている。ディスク基板１の上面に、記録層２が形成されている。【００５６】
次に、第１実施形態に係る光ディスクの構成について、図２から図６を参照して説明する。図２から図５は、第１実施形態に係る光ディスクを構築する２つのピット列を、該ピット列から時間軸上で得られるＲＦ信号及び各種の論理出力に対応付けて、示す模式図であり、図６は、第１実施形態に係る光ディスクのデータ構造を示す模式図である。【００５７】
記録層２は、例えば同心円状に、トラッキングの対象となるトラック９が既定されている。図２に示すように、記録層２は、トラック９（図２から図５中、二点鎖線で示す）に沿って、且つトラック９を中央にして両側に、２つのピット列Ｎａ，Ｎｂが配置されている。光ディスク１００の情報再生時には、２つのピット列Ｎａ，Ｎｂに対して、同時に光照射がなされることで、複数の情報が並列に再生される。この際、一つのメインビームから作られる光スポットが、２つのピット列Ｎａ，Ｎｂの中心線に位置するトラック９上を相対移動するように、トラッキング制御が実行される。【００５８】
２つのピット列Ｎａ，Ｎｂは、典型的には、隙間を空けずに隣接して配置されており、並列に再生される複数の情報を、相互から独立して担持している。２つのピット列Ｎａ，Ｎｂの、再生方向の上流側（図２から図５における左側）には、再生を並列に行うために、クロック信号を形成するための複数のピットＮｃｌｋ、及びシンク信号を生成するためのピットＮｓｙｎｃが配置されている。【００５９】
複数のピットＮｃｌｋは、光照射によって生成されるクロック信号が、２つのピット列Ｎａ，Ｎｂに対して共通となるように構成されている。複数のピットＮｃｌｋは、ディスク基板１の径方向において、その中心がピット列Ｎａ側に偏っていたり、ピット列Ｎｂ側に偏っている。このようなピットＮｃｌｋにより、情報再生時、共通のクロック信号に基づいて、２つのピット列Ｎａ，Ｎｂから並列にピット情報を読み取るタイミングを一致させることが可能である。【００６０】
ピットＮｓｙｎｃは、光照射によって生成されるシンク信号が、２つのピット列Ｎａ，Ｎｂに対して共通となるように構成されている。ピットＮｓｙｎｃは、ディスク基板１の径方向において、その中心がピット列Ｎａ側に偏っていたり、ピット列Ｎｂ側に偏っている。このようなピットＮｓｙｎｃにより、情報再生時、共通のシンク信号に基づいて、２つのピット列Ｎａ，Ｎｂから並列にピット情報を読み取るタイミングを同期させることが可能である。【００６１】
上述したように、２つのピット列Ｎａ，Ｎｂが隙間を空けずに隣接して配列されている、光ディスク１００の情報再生では、相隣接するピットが担持するデータの値によっては、光照射によって読み取られる複数の情報間の識別が不可能となり、ピットの長短に対応する受光信号の変化として、ピットの情報を読み取ることができない。このような読み取り不可能な箇所は、情報の記録方式、２つのピット列Ｎａ，Ｎｂの構造、光照射により情報を読み取る方式、及び隣接ピットに記録される両情報の値の対により、予め特定される。本実施形態では以下、このような箇所を「特定箇所」と呼ぶこととする。【００６２】
図２の下段には、図１におけるＲＦ信号の他、四分割フォトディテクタ４ｄの四つの信号の論理出力の一例として、ＴＰＰ信号、ＲＰＰ信号及び位相差信号の経時的変化が示されている。ここにＲＦ信号は、四分割フォトディテクタ４ｄにおける領域Ａ〜領域Ｂまでの信号の和を示す信号である。ＴＰＰ信号は、四分割フォトディテクタ４ｄにおける前側にある領域Ａ、Ｄの信号の和と、後側にある領域Ｂ、Ｃの信号の和との差を示す信号である。ＲＰＰ信号は、四分割フォトディテクタ４ｄにおける左側にある領域Ａ、Ｂの信号の和と、右側にある領域Ｃ、Ｄの信号の和との差を示す信号である。位相差信号は、四分割フォトディテクタ４ｄにおける斜めに対をなす領域Ａ、Ｃの信号の和と、斜めに対をなす領域Ｂ、Ｄの信号の和との差を示す信号である。【００６３】
図２の上段における、特定箇所は、このようなＲＦ信号、並びに論理出力の各種例であるＴＰＰ信号、ＲＰＰ信号及び位相差信号のいずれの値によっても、２つのピット列Ｎａ，Ｎｂの形状を一義的に決められない（即ち、トラックを中心に隣接する２つのピットの対が何であるかを一義的に決められない）箇所を意味する。図２の如くピット列Ｎａ，Ｎｂを単純に２列に整列させたままでは、このような特定箇所におけるピット形状を一義的に決めるには、例えば、パターン認識の技術など、複雑高度な処理技術を必要とするが、これは、２つのピット列Ｎａ，Ｎｂの小型化の妨げとなり、最終的には、記録密度を高めることに殆ど又は全く繋がらない。そこで、本実施形態では、このような特定箇所については、次に図３を参照して詳述するように、図２のような２つのピット列Ｎａ，Ｎｂにおける単純な配列を、所定規則を持って局所的に崩すこととしている。このような配列を崩すことで、再生処理についての複雑高度化は、回避される。【００６４】
即ち図３において、特定箇所における、２つのピット列Ｎａ，Ｎｂの構造、及びそこにおける情報再生、即ちピット情報の読み取り方法について説明する。本実施形態の光ディスク１００では、特定箇所のピット情報を読み取るために、２つのピット列Ｎａ，Ｎｂを構成する少なくとも一方のピットを、トラック９を基準にして、ディスク基板１の径方向に所定距離だけシフトする。この所定距離は、ＲＦ信号、並びに論理出力の各種例であるＴＰＰ信号、ＲＰＰ信号及び位相差信号のいずれかの値によって、２つのピット列Ｎａ，Ｎｂの形状を一義的に決められる以上の距離として決定される。尚、この距離を大きくとりすぎると、大きな光スポットを形成する必要性が出てくると共に、記録密度を高めることの障害になりかねない。このため、ＲＦ信号等から２つのピット列Ｎａ，Ｎｂの形状を一義的に決められる距離よりも、過度に大きくすることは好ましくなく、かかる距離に若干のマージンを加えた値とするのが実践上好ましい。【００６５】
例えば、図３に示すように、特定箇所に存在している、ピットＮａ１又はピットＮｂ１を、ディスク基板１の径方向Ｄに所定距離だけシフトする。これにより、ＲＦ信号等の値から、特定箇所における２つのピット列Ｎａ，Ｎｂの形状を一義的に決めることが可能となり、よって特定箇所におけるピット情報が読み取り可能となる。【００６６】
尚、特定箇所のピット情報を読み取るために、２つのピット列Ｎａ，Ｎｂを構成する少なくとも一方のピットを、更に、トラック９に沿って前方（図２から図５における左方向）にシフトしてもよい。また、２つのピット列Ｎａ，Ｎｂを構成する少なくとも一方のピットを、トラック９に沿って、少なくとも一方のピットの一つ前に位置する他のピットと接続するように、シフトしてもよい。【００６７】
例えば、図４に示すように、特定箇所に存在している、ピットＮｂ１を、トラック９に沿って前方（図２から図５における左方向）にシフトし、更に、ディスク基板１の径方向Ｄに所定距離だけシフトする。このとき、ピットＮｂ１は、一つ前に位置するピットＮｂ２と接続している。これにより、特定箇所のピット情報が読み取り可能となり、複数の情報間の識別が可能となる。【００６８】
尚、特定箇所のピット情報を読み取るために、２つのピット列Ｎａ，Ｎｂを構成する一方のピットを、ディスク基板１の径方向Ｄにシフトすると共に、他方のピットをトラック９に沿って前方（図２から図５における左方向）にシフトしてもよい。更に、この際、他方のピットの前方側の端部が、一方のピットの後方側の端部と径方向で同位置になるように、シフトしてもよい。【００６９】
例えば、図５に示すように、特定箇所に存在している、ピットＮａ１をディスク基板１の径方向Ｄに所定距離だけシフトすると共に、ピットＮｂ１をトラック９に沿って前方（図２から図５における左方向）にシフトする。このとき、ピットＮｂ１の前方側の端部が、ピットＮａ１のピットの後方側の端部と径方向で同位置になる。これにより、特定箇所のピット情報が読み取り可能となり、複数の情報間の識別が可能となる。【００７０】
図６において、光ディスク１００の情報再生の過程では、ＥＣＣブロック毎にエラー訂正が実行される。ＥＣＣブロックの一単位は、情報再生の順に、２つのピット列Ｎａ，Ｎｂに共通なピットＮｓｙｎｃ、複数のピットＮｃｌｋ及びセクタ情報、続いて、２つのピット列Ｎａ，Ｎｂの各々、そして最後に、ＥＣＣ１及びＥＣＣ２の各々から構成されている。セクタ情報は、各セクタにおけるピット列Ｎａ，Ｎｂの構造や、光照射による読み取り方法の仕様等の情報が記録されている。【００７１】
例えば、図６の構成において、１２８ＫＢ（キロバイト）からなる一つのＥＣＣブロックは、ピット列Ｎａ，Ｎｂに夫々対応する６４ＫＢの小型ＥＣＣブロックに分割されていてもよい。この際、ＥＣＣ１は、一方のピット列Ｎａの小型ＥＣＣブロックについてのエラー訂正コードとなる。また、ＥＣＣ２は、他方のピット列Ｎｂの小型ＥＣＣブロックについてのエラー訂正コードとなる。このようにＥＣＣブロックを構成すると共にＥＣＣ１及びＥＣＣ２を配置すれば、ピット列毎にエラー訂正を行うことができるので、２つのピット列に対してまとめてエラー訂正を施す場合と比較して、エラー耐性を高められる。特に、ピット列毎にエラー発生率が異なる場合に、エラー耐性を顕著に高められる。実際の読み取りでは、光学系における光の偏りなどに起因して、ピット列毎にエラー発生率が異なる場合も起こりえるので、このように構成することは極めて有効である。【００７２】
或いは図６の構成において、ＥＣＣ１は、２つのピット列Ｎａ、Ｎｂの全ＥＣＣブロックについてエラー訂正コードであり、同じく、ＥＣＣ２は、２つのピット列Ｎａ、Ｎｂの全ＥＣＣブロックについてエラー訂正コードであってもよい。即ち、ＥＣＣ１とＥＣＣ２として、相異なるピット列に同じ値のコードが書き込まれることになるので、２つのピット列に対して一つのＥＣＣのみを書き込む場合と比較して、エラー耐性を高められる。特に、ピット列毎にエラー発生率が異なる場合にも、いずれかのＥＣＣは、高精度であるので、エラー耐性を顕著に高められる。【００７３】
このように２つのＥＣＣを用いてエラー耐性を高めることで、図２から図５に示したような２つのピット列を一つの光スポットで並列に読み取る際に、エラー発生率が多少高まったとしても、実践上は、十分に対応可能となる。【００７４】
次に、第１実施形態に係る光ディスク１００を用いた情報再生処理について、図７を参照して説明する。
（第１実施形態に係る情報再生処理）
図７は、第１実施形態に係る光ディスク１００を、光ディスクプレーヤ２００によって再生する情報再生処理を示すフローチャートである。該情報再生処理は、光ディスク１００の記録情報における１つのＥＣＣブロックを読み取る処理を示す。【００７５】
具体的には、図７において、トラッキングサーボ処理部５及びフォーカスサーボ処理部６によって光ピックアップ４が制御され、光ディスク４に既定されるトラック９に沿って、レーザ光が照射される。この光照射により、最初に、ピットＮｓｙｎｃ及びピットＮｃｌｋが読み取られ（ステップＳ２１）、続いて、セクタ情報が読み取られる（ステップＳ２２）。次に、読み取られたセクタ情報から、ピットの構造（特に、２つのピット列Ｎａ，Ｎｂからなるピット列である旨）及び読み取り方法（例えば、ＥＣＣブロックの構造など）がＣＰＵ３で認識され、２つのピット列Ｎａ，Ｎｂが並列に読み取られる（ステップＳ２３）。この際、２つのピット列Ｎａ，Ｎｂが、共通のシンク信号及びクロック信号に基づいて、同じタイミングで読み取られる。２つのピット列Ｎａ，Ｎｂが読み取られると、これと同様に、ＥＣＣ１及びＥＣＣ２が並列に読み取られる（ステップＳ２４）。読み取られたＥＣＣ１及びＥＣＣ２により、２つのピット列Ｎａ，Ｎｂの各々の情報に対して、エラー訂正が行われる。これにより、ピット情報がエラーなしに読み取られたかが確認されて、一連の動作処理が終了される。【００７６】
このように、本実施形態によれば、光照射が行われるトラック９に対して、複数の情報を相互から独立して担持する二つのピット列Ｎａ，Ｎｂが、並列に配置されており、ピットの読み取りに際して、パターン認識を要さない。特に、特定箇所におけるピットを、所定方向に所定距離だけシフトすれば、ピットの読み取りが可能となる。このため、特定箇所以外の大部分の箇所では、ピットを隙間なく並べることも可能となり、比較的容易にして記録容量を増大させることが可能である。【００７７】
尚、本実施形態では、光ディスク１００の情報再生を例に説明したが、その情報記録においても、同様の実施形態を取ることが可能である。【００７８】
また、複数のピットＮｃｌｋは、２つのピット列Ｎａ，Ｎｂに対して共通に構成されているが、２つのピット列から構成してもよい。この場合、クロック信号が読み取り不可能な箇所において、少なくとも一方のピットを、ディスク基板１の径方向に所定距離だけシフトする。これにより、クロック信号を確実に読み取ることが可能である。【００７９】
本発明は、上述した実施形態に限られるものではなく、請求の範囲及び明細書全体から読み取れる発明の要旨或いは思想に反しない範囲で適宜変更可能である。
【産業上の利用可能性】
【００８０】
本発明は、例えば情報の再生用、又は情報の記録及び再生用の光ディスク等に利用することが可能である。
【図１】
2008126327.tif 000003
【図２】
2008126327.tif 000004
【図３】
2008126327.tif 000005
【図４】
2008126327.tif 000006
【図５】
2008126327.tif 000007
【図６】
2008126327.tif 000008
【図７】
2008126327.tif 000009
【手続補正書】
【提出日】平成21年9月17日(2009.9.17)
【手続補正１】
【補正対象書類名】特許請求の範囲
【補正対象項目名】全文
【補正方法】変更
【補正の内容】
【特許請求の範囲】
【請求項１】
トラック上を相対移動する光照射によって前記トラックに沿って記録された複数の情報が並列に再生される光ディスクであって、
ディスク基板と、
該ディスク基板上に形成されると共に螺旋状又は同心円状に前記トラックが規定されており、前記トラックに沿って且つ前記トラックを中央にして両側に配列されていると共に前記複数の情報を相互から独立して担持する二つのピット列が構築されている記録層と
を備え、
前記二つのピット列は、仮に前記トラックを中央にして両側に配列されているままでは、前記二つのピット列の相互関係が、前記光照射によって読み取られる前記複数の情報間の識別が不可能となる、予め特定される関係にある特定箇所については、前記二つのピット列を構成する少なくとも一方のピットが、前記トラックを基準にして前記ディスク基板の径方向に所定距離だけシフトされている
ことを特徴とする光ディスク。
【請求項２】
前記二つのピット列は、前記特定箇所については、前記少なくとも一方のピットは更に、前記トラックに沿って前方にシフトされていることを特徴とする請求項１に記載の光ディスク。
【請求項３】
前記二つのピット列は、前記特定箇所については、前記少なくとも一方のピットは、前記トラックに沿って前記少なくとも一方のピットの一つ前に位置する他のピットと接続されていると同時に、前記ディスク基板の径方向にシフトされていることを特徴とする請求項１に記載の光ディスク。
【請求項４】
前記二つのピット列は、前記光照射によって生成されるクロック信号が前記二つのピット列間で揃うように、該クロック信号に対応する部分が構成されていることを特徴とする請求項１に記載の光ディスク。
【請求項５】
前記二つのピット列は、前記光照射によって生成されるクロック信号が共通となるように構成されていることを特徴とする請求項１に記載の光ディスク。
【請求項６】
前記二つのピット列は、前記特定箇所に加えて、前記光照射によって生成されるクロック信号が生成される箇所についても、前記二つのピット列を構成する少なくとも一方のピットが、前記径方向に前記所定距離だけシフトされていることを特徴とする請求項１に記載の光ディスク。
【請求項７】
前記二つのピット列は、前記光照射によって生成されるシンク信号が前記二つのピット列間で揃うように、該シンク信号に対応する部分が構成されていることを特徴とする請求項１に記載の光ディスク。
【請求項８】
前記二つのピット列は、前記光照射によって生成されるシンク信号が共通となるように構成されていることを特徴とする請求項１に記載の光ディスク。
【請求項９】
前記情報を再生する際のエラー訂正における一単位は、第１及び第２部分に二つに分けられており、
前記二つのピット列の一方は、前記第１部分を担持し、
前記二つのピット列の他方は、前記一方のピット列が前記第１部分を担持するピット部分に隣接するピット部分において、前記第２部分を担持する
ことを特徴とする請求項１に記載の光ディスク。
【請求項１０】
トラック上を相対移動する光照射によって前記トラックに沿って記録された複数の情報が並列に再生される光ディスクであって、
ディスク基板と、
該ディスク基板上に形成されると共に螺旋状又は同心円状に前記トラックが規定されており、前記トラックに沿って且つ前記トラックを中央にして両側に配列されていると共に前記複数の情報を相互から独立して担持する二つのピット列が構築されている記録層と
を備え、
前記情報を再生する際のエラー訂正における一単位は、第１及び第２部分に二つに分けられており、
前記二つのピット列の一方は、前記第１部分を担持し、
前記二つのピット列の他方は、前記一方のピット列が前記第１部分を担持するピット部分に隣接するピット部分において、前記第２部分を担持する
ことを特徴とする光ディスク。
【国際調査報告】
2008126327.tif 000010
2008126327.tif 000011
2008126327.tif 000012